【手続補正書】
【提出日】平成27年4月10日(2015.4.10)
【手続補正１】
【補正対象書類名】明細書
【補正対象項目名】０００１
【補正方法】変更
【補正の内容】
【０００１】
本発明は、光路切換機構に反射率可変の光反射手段を用いた撮像装置、その制御方法、および制御プログラムに関する。
【手続補正２】
【補正対象書類名】明細書
【補正対象項目名】００１０
【補正方法】変更
【補正の内容】
【００１０】
上記の目的を達成するために、本発明による撮像装置は、撮影光学系を通過した光学像に応じた画像信号を出力する撮像素子と、前記光学像を観察するための光学ファインダとを有する撮像装置であって、前記撮影光学系を通過した光学像を透過させて前記撮像素子に導くととともに前記撮影光学系を通過した光学像を反射して前記光学ファインダに導く反射率可変の光反射手段と、撮影指示があると、前記光反射手段の反射率を、前記光学ファインダに入射する光学像の光量を前記撮像素子に入射する光学像の光量よりも多くする第１の反射率に制御し、所定の第１の操作があると前記光反射手段の反射率を、前記光学ファインダに入射する光学像の光量を前記撮像素子に入射する光学像の光量よりも少なくする第２の反射率に制御する制御手段とを有することを特徴とする。
【手続補正３】
【補正対象書類名】明細書
【補正対象項目名】００１１
【補正方法】変更
【補正の内容】
【００１１】
本発明による制御方法は、撮影光学系を通過した光学像に応じた画像信号を出力する撮像素子と、前記光学像を観察するための光学ファインダとを有する撮像装置の制御方法であって、前記撮像装置には、前記撮影光学系を通過した光学像を透過させて前記撮像素子に導くととともに前記撮影光学系を通過した光学像を反射して前記光学ファインダに導く反射率可変の光反射手段が備えられており、撮影指示があると、前記光反射手段の反射率を、前記光学ファインダに入射する光学像の光量を前記撮像素子に入射する光学像の光量よりも多くする第１の反射率に制御する第１の制御ステップと、所定の第１の操作があると前記光反射手段の反射率を、前記光学ファインダに入射する光学像の光量を前記撮像素子に入射する光学像の光量よりも少なくする第２の反射率に制御する第２の制御ステップとを有することを特徴とする。
【手続補正４】
【補正対象書類名】明細書
【補正対象項目名】００１２
【補正方法】変更
【補正の内容】
【００１２】
本発明による制御プログラムは、撮影光学系を通過した光学像に応じた画像信号を出力する撮像素子と、前記光学像を観察するための光学ファインダとを有する撮像装置で用いられる制御プログラムであって、前記撮像装置には、前記撮影光学系を通過した光学像を透過させて前記撮像素子に導くととともに前記撮影光学系を通過した光学像を反射して前記光学ファインダに導く反射率可変の光反射手段が備えられており、前記撮像装置が備えるコンピュータに、撮影指示があると、前記光反射手段の反射率を、前記光学ファインダに入射する光学像の光量を前記撮像素子に入射する光学像の光量よりも多くする第１の反射率に制御する第１の制御ステップと、所定の第１の操作があると前記光反射手段の反射率を、前記光学ファインダに入射する光学像の光量を前記撮像素子に入射する光学像の光量よりも少なくする第２の反射率に制御する第２の制御ステップとを実行させることを特徴とする。
【手続補正５】
【補正対象書類名】明細書
【補正対象項目名】００２２
【補正方法】変更
【補正の内容】
【００２２】
光路切換部（光反射部）３は光軸１１に対して４５度傾けて配置され、撮影レンズユニット２から入射した光は光路切換部３によって分光（分岐）される。光路切換部３を透過した光は撮像素子５の撮像面に結像する。一方、光路切換部３で反射した光は、光軸１１に対して９０度の角度で上方に向かい、焦点板６および像反転部７を介して接眼レンズ系８に導かれる。
【手続補正６】
【補正対象書類名】明細書
【補正対象項目名】００２３
【補正方法】変更
【補正の内容】
【００２３】
光路切換部３の一面（撮影レンズユニット２側の面）には、反射率可変の調光ミラー１２が配置されており、後述するように、調光ミラー１２の反射率を変更することによって、撮像素子５および光学ファインダに入射する光量を調整することができる。つまり、調光ミラー１２の反射率を上げれば、反射光路（光学ファインダ側）への入射光量が多くなって、光学ファインダに十分な光量を入射させることができる。
【手続補正７】
【補正対象書類名】明細書
【補正対象項目名】００３０
【補正方法】変更
【補正の内容】
【００３０】
制御部２１は、例えば、ＭＰＵであり、一眼レフカメラの各種処理を制御する。制御部２１には、撮像素子５、測光素子９、反射率制御部１３、撮影モード選択スイッチ２２（モード選択手段）、静止画撮影ボタン２３、および動画撮影ボタン２４が接続され、ここでは、制御部２１は撮像素子５および反射率制御部１３を制御する。
【手続補正８】
【補正対象書類名】明細書
【補正対象項目名】００３２
【補正方法】変更
【補正の内容】
【００３２】
なお、ここで、動画は、複数枚の画像（以下フレーム画像と呼ぶ）によって構成される。そして、ユーザがリアルタイムで動画像として認識することができるように、１秒間の動画を構成するフレーム画像の枚数は１５枚以上であることが好ましい。
【手続補正９】
【補正対象書類名】明細書
【補正対象項目名】００３３
【補正方法】変更
【補正の内容】
【００３３】
測光素子９は、像反転部７で分岐された光を用いて、被写体像の輝度を測定する。そして、測光素子９は測光結果である測光情報（輝度情報）を制御部２１に出力する。制御部２１は測光情報に応じて露出条件を判定する。つまり、制御部２１は測光情報に応じて露出条件を決定する露出制御を行うことになる。
【手続補正１０】
【補正対象書類名】明細書
【補正対象項目名】００４０
【補正方法】変更
【補正の内容】
【００４０】
続いて、制御部２１は静止画撮影ボタン２３が半押しされたか否かを判定する（ステップＳ３２）。ここでは、静止画撮影ボタン２３の半押しは第１の状態である（所定の第２の操作）。静止画撮影ボタン２３が半押しされないと（ステップＳ３２において、ＮＯ）、制御部２１は待機する。構図の確認が完了して、ユーザが静止画撮影ボタン２３を半押すると（ステップＳ３２において、ＹＥＳ）、制御部２１は測光素子９によって測光を行う（ステップＳ３３）。そして、制御部２１は測光情報に基づいて露出条件を判定する（ステップＳ３４）。
【手続補正１１】
【補正対象書類名】明細書
【補正対象項目名】００４１
【補正方法】変更
【補正の内容】
【００４１】
静止画像取得のための露出条件を判定した後、制御部２１は静止画撮影ボタン２３が全押しされたか否かを判定する（ステップＳ３５）。ここで、静止画撮影ボタン２３の全押しは第２の状態である（所定の第１の操作）。静止画撮影ボタン２３が全押しされないと（ステップＳ３５において、ＮＯ）、制御部２１は待機する。
【手続補正１２】
【補正対象書類名】明細書
【補正対象項目名】００４２
【補正方法】変更
【補正の内容】
【００４２】
ユーザが静止画撮影ボタン２３を全押しすると（ステップＳ３５において、ＹＥＳ）、制御部２１は調光ミラー１２の反射率を、前述の第１の反射率からステップＳ３４で判定した露出条件に応じた露出反射率（第２の反射率）に低下させる（ステップＳ３６）。これによって、制御部２１は撮像素子５に対する入射光量を大きくして、静止画像の取得を開始する（ステップＳ３７：画像取得）。
【手続補正１３】
【補正対象書類名】明細書
【補正対象項目名】００４３
【補正方法】変更
【補正の内容】
【００４３】
続いて、制御部２１は、ステップＳ３４で判定した露出条件に応じた露出時間が経過したか否かを判定する（ステップＳ３８）。露出時間が経過しないと（ステップＳ３８において、ＮＯ）、制御部２１はステップＳ３７の処理に戻って、画像の取得を行う。一方、露出時間が経過すると（ステップＳ３８において、ＹＥＳ）、つまり、画像の取得が完了すると、制御部２１は静止画の撮影を終了する。
【手続補正１４】
【補正対象書類名】明細書
【補正対象項目名】００４８
【補正方法】変更
【補正の内容】
【００４８】
続いて、制御部２１は動画撮影ボタン２４が押し下げられたか否かを判定する（ステップＳ４４）。動画撮影ボタン２４が押し下げられないと（ステップＳ４４において、ＮＯ）、制御部２１は待機する。ユーザが動画撮影ボタン２４を押し下げると（ステップＳ４４において、ＹＥＳ）、制御部２１は調光ミラー１２の反射率を、前述の第１の反射率からステップＳ４３で判定した露出条件に応じた露出反射率（第２の反射率）に低下させる（ステップＳ４５）。これによって、制御部２１は撮像素子５に対する入射光量を大きくして、動画１フレームの取得を開始する（ステップＳ３６：画像取得）。
【手続補正１５】
【補正対象書類名】明細書
【補正対象項目名】００４９
【補正方法】変更
【補正の内容】
【００４９】
続いて、制御部２１は、ステップＳ４３で判定した露出条件に応じた露出時間が経過したか否かを判定する（ステップＳ４７）。露出時間が経過しないと（ステップＳ４７において、ＮＯ）、制御部２１はステップＳ４６の処理に戻って、画像の取得を行う。
【手続補正１６】
【補正対象書類名】特許請求の範囲
【補正対象項目名】全文
【補正方法】変更
【補正の内容】
【特許請求の範囲】
【請求項１】
撮影光学系を通過した光学像に応じた画像信号を出力する撮像素子と、前記光学像を観察するための光学ファインダとを有する撮像装置であって、
前記撮影光学系を通過した光学像を透過させて前記撮像素子に導くととともに前記撮影光学系を通過した光学像を反射して前記光学ファインダに導く反射率可変の光反射手段と、
撮影指示があると、前記光反射手段の反射率を、前記光学ファインダに入射する光学像の光量を前記撮像素子に入射する光学像の光量よりも多くする第１の反射率に制御し、所定の第１の操作があると前記光反射手段の反射率を、前記光学ファインダに入射する光学像の光量を前記撮像素子に入射する光学像の光量よりも少なくする第２の反射率に制御する制御手段とを有することを特徴とする撮像装置。
【請求項２】
前記制御手段は、前記光反射手段の反射率を前記第１の反射率とした後、所定の第２の操作があると、前記光学ファインダに導かれる光学像に基づいて測光を行って、撮影の際における前記光反射手段の反射率である前記第２の反射率および露出時間を決定する露出制御を行うことを特徴とする請求項１に記載の撮像装置。
【請求項３】
前記第２の操作は、静止画撮影を行うための静止画撮影ボタンを半押して前記静止画撮影ボタンを第１の状態とする操作であり、前記第１の操作は、前記静止画撮影ボタンを全押して前記静止画撮影ボタンを第２の状態とする操作であることを特徴とする請求項２に記載の撮像装置。
【請求項４】
静止画撮影を行う静止画撮影モードおよび動画撮影を行う動画撮影モードのいずれか一方を選択するモード選択手段を備え、
前記モード選択手段によって前記静止画撮影モードおよび前記動画撮影モードのいずれか一方が選択されると、前記制御手段は前記撮影指示があったとして前記光反射手段の反射率を前記第１の反射率に制御することを特徴とする請求項１乃至３のいずれか１項に記載の撮像装置。
【請求項５】
静止画撮影を行う静止画撮影モードおよび動画撮影を行う動画撮影モードのいずれか一方を選択するモード選択手段を備え、
前記モード選択手段によって前記静止画撮影モードが選択されると、前記制御手段は前記撮影指示があったとして前記光反射手段の反射率を前記第１の反射率に制御し、前記静止画撮影ボタンが前記第１の状態となると前記露出制御を行うことを特徴とする請求項３に記載の撮像装置。
【請求項６】
前記静止画撮影ボタンが前記第２の状態となると、前記制御手段は前記光反射手段の反射率を第２の反射率に制御して、前記撮像素子から前記画像信号を取得することを特徴とする請求項５に記載の撮像装置。
【請求項７】
静止画撮影を行う静止画撮影モードおよび動画撮影を行う動画撮影モードのいずれか一方を選択するモード選択手段を備え、
前記モード選択手段によって前記動画撮影モードが選択されると、前記制御手段は前記撮影指示があったとして前記光反射手段の反射率を前記第１の反射率に制御して、前記露出制御を行うことを特徴とする請求項２に記載の撮像装置。
【請求項８】
前記制御手段は、動画撮影を行うための動画撮影ボタンが操作されると前記光反射手段の反射率を第２の反射率に制御して、前記撮像素子から前記画像信号を取得することを特徴とする請求項７に記載の撮像装置。
【請求項９】
前記制御手段は、前記露光時間が経過すると、前記光反射手段の反射率を前記第２の反射率から前記第１の反射率に制御して、前記動画撮影ボタンが再度操作されなければ、前記露出制御を行うことを特徴とする請求項８に記載の撮像装置。
【請求項１０】
前記光反射手段は、電圧の印加に応じて反射率が変化する調光ミラーを備えることを特徴とする請求項１乃至９のいずれか１項に記載の撮像装置。
【請求項１１】
撮影光学系を通過した光学像に応じた画像信号を出力する撮像素子と、前記光学像を観察するための光学ファインダとを有する撮像装置の制御方法であって、
前記撮像装置には、前記撮影光学系を通過した光学像を透過させて前記撮像素子に導くととともに前記撮影光学系を通過した光学像を反射して前記光学ファインダに導く反射率可変の光反射手段が備えられており、
撮影指示があると、前記光反射手段の反射率を、前記光学ファインダに入射する光学像の光量を前記撮像素子に入射する光学像の光量よりも多くする第１の反射率に制御する第１の制御ステップと、
所定の第１の操作があると前記光反射手段の反射率を、前記光学ファインダに入射する光学像の光量を前記撮像素子に入射する光学像の光量よりも少なくする第２の反射率に制御する第２の制御ステップとを有することを特徴とする制御方法。
【請求項１２】
撮影光学系を通過した光学像に応じた画像信号を出力する撮像素子と、前記光学像を観察するための光学ファインダとを有する撮像装置で用いられる制御プログラムであって、
前記撮像装置には、前記撮影光学系を通過した光学像を透過させて前記撮像素子に導くととともに前記撮影光学系を通過した光学像を反射して前記光学ファインダに導く反射率可変の光反射手段が備えられており、
前記撮像装置が備えるコンピュータに、
撮影指示があると、前記光反射手段の反射率を、前記光学ファインダに入射する光学像の光量を前記撮像素子に入射する光学像の光量よりも多くする第１の反射率に制御する第１の制御ステップと、
所定の第１の操作があると前記光反射手段の反射率を、前記光学ファインダに入射する光学像の光量を前記撮像素子に入射する光学像の光量よりも少なくする第２の反射率に制御する第２の制御ステップとを実行させることを特徴とする制御プログラム。